(57)【要約】【課題】制御装置が単独でも画像表示ユニットと一緒でも着脱できるようにする。【解決手段】滑動部１５；１６がレール８；９に右側部から前後方向に抜けないように嵌め込まれ、画像表示ユニット３が右から左方向に移動させられて可動枠２の後部に取り付けられ、画像表示ユニット３の表示画面が可動枠２の前方から透視開口部７を通して視認可能になり、制御装置４が後から前方に移動されて、制御装置４が拘束部１９を前方に押して弾性変形させ、鉤部２８が案内孔２１に挿入された後、制御装置４が右から左方向に移動されて、画像表示ユニット３の鉤部２０と制御装置４の鉤部２８とが互いに前後方向に抜けないように嵌め合わされ、制御装置４の右側部が拘束部１９を左方に越えると、拘束部１９が後方に弾性的に突出して制御装置４の右側部に係合して制御装置４の取外方向への移動を阻止し、制御装置４が画像表示ユニット３の後部に取り付けられる。【選択図】図１
2009060955.tif 000002
【特許請求の範囲】
【請求項１】
遊技機枠における可動枠の後部に取り付けられる画像表示ユニットと、画像表示ユニットの後部に取り付けられる制御装置とを備えたことを特徴とするパチンコ遊技機の画像表示装置。
【請求項２】
可動枠が左側のヒンジを中心として開閉可能に構成され、画像表示ユニットが右から左方向に移動されることによって可動枠に取り付けられ、画像表示ユニットが左から右方向に移動されることによって可動枠から取り外されることを特徴とする請求項１記載のパチンコ遊技機の画像表示装置。
【請求項３】
制御装置が後から前方に移動された後に右から左方向に移動されることによって画像表示ユニットの後部に取り付けられ、制御装置が左から右方向に移動された後に前から後方に移動されることによって画像表示ユニットの後部から取り外されることを特徴とする請求項２記載のパチンコ遊技機の画像表示装置。
【発明の詳細な説明】
【技術分野】
【０００１】
本発明は、制御装置が単独でも画像表示ユニットと一緒でも着脱できるパチンコ遊技機の画像表示装置に関する。
【背景技術】
【０００２】
図９は、特許文献１で開示されたパチンコ遊技機の画像表示装置を示す。図９において、遊技機枠１１１が固定枠１１２と可動枠１１３とを備え、画像表示収容部１１４と払出ユニット１１５および制御装置１１６が可動枠１１３の後部に設けられ、画像表示ユニット１１７が可動枠１１３の画像表示収容部１１４に収容され、払出ユニット１１５および制御装置１１６が閉じられることによって、画像表示ユニット１１７が可動枠１１３の後部に装着されるようになっている。つまり、画像表示ユニット１１７および制御装置１１６が遊技機枠１１１に別々に取り付けられた構造であるので、画像表示ユニット１１７および制御装置１１６を別々に着脱しなければならないという欠点がある。
【特許文献１】特開２００５−１３１３２８号公報
【発明の開示】
【発明が解決しようとする課題】
【０００３】
発明が解決しようとする問題点は、画像表示器および制御装置を遊技機枠の後部に別々に着脱しなければならないという点である。
【課題を解決するための手段】
【０００４】
本発明に係るパチンコ遊技機の画像表示装置は、遊技機枠の後部に取り付けられる画像表示ユニットと、画像表示ユニットの後部に取り付けられる制御装置とを備えたことを最も主要な特徴とする。可動枠が左側のヒンジを中心として開閉可能に構成され、画像表示ユニットが右から左方向に移動されることによって可動枠に取り付けられ、画像表示ユニットが左から右方向に移動されることによって可動枠から取り外されたり、または、制御装置が後から前方に移動された後に右から左方向に移動されることによって画像表示ユニットの後部に取り付けられ、制御装置が左から右方向に移動された後に前から後方に移動されることによって画像表示ユニットの後部から取り外されたりしてもよい。
【発明の効果】
【０００５】
本発明に係るパチンコ遊技機の画像表示装置は、画像表示ユニットが遊技機枠の後部に取り付けられ、制御装置が画像表示ユニットの後部に取り付けられた構造であるので、制御装置が単独でも画像表示ユニットと一緒でも着脱できるという利点がある。可動枠が左側のヒンジを中心として開閉可能に構成され、画像表示ユニットが右から左方向に移動されることによって可動枠に取り付けられ、画像表示ユニットが左から右方向に移動されることによって可動枠から取り外されるように、画像表示ユニットの可動枠への取付方向が右から左方向に構成されれば、画像表示ユニットの着脱が容易になるという利点がある。可動枠が左側のヒンジを中心として開閉可能に構成され、画像表示ユニットが右から左方向に移動されることによって可動枠に取り付けられ、画像表示ユニットが左から右方向に移動されることによって可動枠から取り外され、制御装置が後から前方に移動された後に右から左方向に移動されることによって画像表示ユニットの後部に取り付けられ、制御装置が左から右方向に移動された後に前から後方に移動されることによって画像表示ユニットの後部から取り外されるように、画像表示ユニットの可動枠への取付方向と制御装置の画像表示ユニットへの取付方向とが同じ方向に構成されれば、制御装置の着脱が容易になるという利点がある。
【発明を実施するための最良の形態】
【０００６】
図１は、パチンコ遊技機の画像表示装置を分解して示す。図２は、遊技機枠１を示す。図３は、画像表示ユニット３を分解して示す。図４は、制御装置４を示す。図５は、制御装置５を示す。図６は、制御装置４が画像表示ユニット３に着脱される工程を示す。図７は、画像表示ユニット３と制御装置４；５との配線を示す。本明細書において、「前」、「後」、「左」、「右」、「上」、「下」の方向は、図２の状態に遊技機枠１を置いて矢印Ｓで示す前方から見た場合に特定される方向である。
【０００７】
図１を参照し、パチンコ遊技機の画像表示装置について説明する。パチンコ遊技機の画像表示装置は、遊技機枠１の可動枠２の後部に取り付けられる画像表示ユニット３と、画像表示ユニット３の後部に取り付けられる複数の制御装置４；５とを備える。可動枠２が左側のヒンジ３６を中心として開閉可能に構成され、画像表示ユニット３が右から左方向に移動されることによって可動枠２に取り付けられ、画像表示ユニット３が左から右方向に移動されることによって可動枠２から取り外され、制御装置４；５が後から前方に移動された後に右から左方向に移動されることによって画像表示ユニット３に取り付けられ、制御装置４；５が左から右方向に移動された後に前から後方に移動されることによって画像表示ユニット３から取り外される場合を例とする。
【０００８】
可動枠２における図外の遊技盤を取り付けるための盤収容室６の後壁には、透視開口部７とレール８；９およびコネクタ１０；１１が設けられる。透視開口部７は、画像表示ユニット３における方形な表示画面と対応する方形な前後方向への貫通孔である。レール８；９は、上下に相対峙し、盤収容室６の後部に固定され、画像表示ユニット３を左右方向に移動可能でかつ前後方向に移動不能となるように摺接係合させる構造である。
【０００９】
レール８は、透視開口部７の上縁部に配置され、左右方向に直線的に延びた下向きの溝を構成する。レール８の下向きの溝は、レール８における上壁と前壁と後壁とによって囲まれ、下方および右方に開口する。レール９は、透視開口部７の下縁部に配置され、左右方向に直線的に延びた上向きの溝を構成する。レール９の上向きの溝は、レール９における下壁と前壁と後壁とによって囲まれ、上方および右方に開口する。コネクタ１０；１１は、上下に分かれ、透視開口部７の左縁部に配置される。つまり、コネクタ１０；１１の配置される透視開口部７の左縁部は、画像表示ユニット３の可動枠２への取付方向先端側である。よって、コネクタ１０；１１は、画像表示ユニット３の可動枠２への取付方向先端側に配置されるように可動枠２の後部に上下に分かれて設けられる。
【００１０】
画像表示ユニット３は、画像表示器１３が表示容器１４に収容され、画像表示器１３の表示画面が画像表示ユニット３の表示画面を構成しかつ表示容器１４の前方から見える構造である。画像表示器１３は、液晶表示器などの面状表示器により構成される。表示容器１４は合成樹脂から構成される。表示容器１４の上縁部および下縁部は、滑動部１５；１６として構成される。表示容器１４の後壁には、制御取付部１７；１８が設けられる。
【００１１】
制御取付部１７は、制御装置４に対応する部分である。制御取付部１７には、拘束部１９、鉤部２０、案内孔２１が設けられる。拘束部１９は、表示容器１４の後壁から斜め後方に突出した弾性片として構成される。鉤部２０は、表示容器１４の後壁から後方に突出する。案内孔２１は、鉤部２０の後壁に前後方向への貫通孔として、複数形成される。案内孔２１の個数は、制御装置４の鉤部２８と同数である。
【００１２】
制御取付部１８は、制御装置５に対応する部分である。制御取付部１８には、拘束部２２、鉤部２３、案内孔２４が設けられる。拘束部２２は、鉤部２３の後壁から斜め後方に突出した弾性片として構成される。鉤部２３は、表示容器１４の後壁から後方に突出する。案内孔２４は、鉤部２３の後壁に前後方向への貫通孔として複数形成される。案内孔２４の個数は、制御装置５の鉤部３２と同数である。
【００１３】
制御装置４は、主制御装置からの出力によって音や光および画像による演出を統括する処理を実行する統括制御装置を構成し、合成樹脂からなる制御容器２６に電気部品の実装された回路基板２７を内蔵した構造である。制御装置４の前部には、鉤部２８が複数設けられる。鉤部２８は、制御容器２６の前壁から前方に突出する縦片と、縦片から左方に制御容器２６の前壁との間に隙間を形成するように突出した横片とから構成される。制御容器２６のコネクタ１０と対応する左側部には、回路基板２７に実装されたコネクタ２９が露出する。
【００１４】
制御装置５は、遊技処理の全般を実行する主制御装置を構成し、合成樹脂からなる制御容器３０に電気部品の実装された回路基板３１を内蔵した構造である。制御装置５の前部には、鉤部３２が複数設けられる。鉤部３２は、制御容器３０の前壁から前方に突出する縦片と、縦片から左方に制御容器３０の前壁との間に隙間を形成するように突出した横片とから構成される。制御容器３０のコネクタ１１と対応する左側部には、回路基板３１に実装されたコネクタ３３が露出する。
【００１５】
画像表示ユニット３の可動枠２への着脱の仕方について説明する。この着脱は機械で行うことも可能であるが、手作業で行う場合を例として説明する。画像表示ユニット３が可動枠２に取り付けられる場合、作業者が画像表示ユニット３を手で持ち、画像表示ユニット３の表示画面が前方に向けられ、画像表示ユニット３の左側部が可動枠２の右側部に向けられる。そして、滑動部１５がレール８の右側部に嵌め込まれ、滑動部１６がレール９の右側部に嵌め込まれる。つまり、画像表示ユニット３が、左右方向に移動可能でかつ前後方向に移動不能となるように、レール８；９に装着される。その後、画像表示ユニット３が右から左方向に移動させられることによって可動枠２の後部に取り付けられ、画像表示ユニット３の表示画面が透視開口部７と対向する。これによって、画像表示ユニット３の表示画面が可動枠２の前方から透視開口部７を通して視認可能になる。画像表示ユニット３が可動枠２から取り外される場合、作業者が画像表示ユニット３を手で持って左から右方向に移動すると、画像表示ユニット３がレール８；９から右方向に引き抜かれて可動枠２の後部から取り外される。
【００１６】
制御装置４の画像表示ユニット３への着脱の仕方について説明する。この着脱は機械で行うことも可能であるが、手作業で行う場合を例として説明する。制御装置４が画像表示ユニット３に取り付けられる場合、作業者が制御装置４を手で持ち、制御装置４の前部が画像表示ユニット３の制御取付部１７に向き合わせられる。そして、制御装置４が後から前方に移動されることによって、制御装置４が拘束部１９を前方に押して弾性変形させ、鉤部２８が案内孔２１に挿入される。その後、制御装置４が右から左方向に移動されることによって、画像表示ユニット３の鉤部２０と制御装置４の鉤部２８とが互いに前後方向に抜けないように嵌め合わされる。そして、制御装置４の右側部が拘束部１９を左方に越えると、拘束部１９が後方に弾性的に突出して制御装置４の右側部に係合して制御装置４の取外方向への移動を阻止し、制御装置４が画像表示ユニット３の後部に取り付けられる。制御装置４が画像表示ユニット３から取り外される場合、作業者が拘束部１９を手で前側に押して拘束部１９と制御装置４の右側部との係合を解除したまま制御装置４を手で持って左から右方向に移動すると、鉤部２０と鉤部２８との嵌合が解除される。その後、制御装置４が前から後方に移動されると、鉤部２８が案内孔２１から制御取付部１７の後方に引き抜かれて画像表示ユニット３の後部から取り外される。
【００１７】
制御装置５の画像表示ユニット３への着脱の仕方について説明する。この着脱は機械で行うことも可能であるが、手作業で行う場合を例として説明する。制御装置５が画像表示ユニット３に取り付けられる場合、作業者が制御装置５を手で持ち、制御装置５の前部が画像表示ユニット３の制御取付部１８に向き合わせられる。そして、制御装置５が後から前方に移動されることによって、制御装置５が拘束部２２を前方に押して弾性変形させ、鉤部３２が案内孔２４に挿入される。その後、制御装置５が右から左方向に移動されることによって、画像表示ユニット３の鉤部２３と制御装置５の鉤部３２とが互いに前後方向に抜けないように嵌め合わされる。そして、制御装置５の右側部が拘束部２２を左方に越えると、拘束部２２が後方に弾性的に突出して制御装置５の右側部に係合して制御装置５の取外方向への移動を阻止し、制御装置５が画像表示ユニット３の後部に取り付けられる。制御装置５が画像表示ユニット３から取り外される場合、作業者が拘束部２２を手で前側に押して拘束部２２と制御装置５の右側部との係合を解除したまま制御装置５を手で持って左から右方向に移動すると、鉤部２３と鉤部３２との嵌合が解除される。その後、制御装置５が前から後方に移動されると、鉤部３２が案内孔２４から制御取付部１８の後方に引き抜かれて画像表示ユニット３の後部から取り外される。
【００１８】
画像表示ユニット３および制御装置４；５の取付方には、制御装置４；５の取り付けられた画像表示ユニット３が可動枠２に取り付けられる場合と、制御装置４；５が可動枠２に取り付けられた画像表示ユニット３に取り付けられる場合とがある。
【００１９】
制御装置４の取り付けられた画像表示ユニット３が可動枠２に取り付けられる場合について説明すると、先ず、鉤部２０；２８が互いに前後方向に抜けないように嵌め合わされ、制御装置４の右側部が拘束部１９に係合し、制御装置４が画像表示ユニット３の後部に取り付けられる。次に、滑動部１５；１６がレール８；９に右方から嵌め込まれた後に左方向に移動され、コネクタ２９がコネクタ１０に接続され、画像表示ユニット３が可動枠２の後部に取り付けられる。
【００２０】
制御装置４が可動枠２に取り付けられた画像表示ユニット３に取り付けられる場合について説明すると、先ず、滑動部１５；１６がレール８；９に右方向から嵌め込まれた後に左方向に移動され、画像表示ユニット３が可動枠２の後部に取り付けられる。次に、鉤部２８が案内孔２１に後方から挿入されて左方向に移動され、鉤部２０；２８が互いに前後方向に抜けないように嵌め合わされ、コネクタ２９がコネクタ１０に接続され、制御装置４の右側部が拘束部１９に係合し、制御装置４が画像表示ユニット３の後部に取り付けられる。つまり、画像表示ユニット３が可動枠２の後部に取り付けられ、制御装置４が画像表示ユニット３の後部に取り付けられた構造であるので、制御装置４が単独でも画像表示ユニット３と一緒でも着脱できるという利点がある。
【００２１】
画像表示ユニット３が可動枠２の後部に取り付けられた後、図外のねじ釘などの固定具で画像表示ユニット３を可動枠２またはレール８またはレール９に固定してもよいが、画像表示ユニット３の後部に取り付けられた制御装置４の右側部が拘束部１９に係合し、コネクタ２９がコネクタ１０に嵌め込まれる構造であるので、図外のねじ釘などの固定具で画像表示ユニット３を可動枠２またはレール８またはレール９に固定しなくても、画像表示ユニット３の後部に取り付けられた制御装置４の右側部が拘束部１９に係合し、コネクタ２９がコネクタ１０に嵌め込まれることによって、コネクタ１０；２９どうしの保持力以上の外力が画像表示ユニット３に作用しなければ、画像表示ユニット３が可動枠２に固定されるという利点がある。
【００２２】
画像表示ユニット３の案内孔２１が右から左方向に行くにしたがって徐々に上下幅が狭くなる形状に構成されたので、鉤部２８が案内孔２１に後方から挿入された後、制御装置４が左方向に直線的に移動され、鉤部２０；２８が互いに前後方向に抜けないように嵌め合わされた場合、鉤部２８における縦片が案内孔２１の上縁部と下縁部とに接触し、制御装置４が上下方向に振動しないように画像表示ユニット３の後部に固定されるという利点がある。
【００２３】
制御装置５の取り付けられた画像表示ユニット３が可動枠２に取り付けられる場合について説明すると、先ず、鉤部２３；３２が互いに前後方向に抜けないように嵌め合わされ、制御装置５の右側部が拘束部２２に係合し、制御装置５が画像表示ユニット３の後部に取り付けられる。次に、滑動部１５；１６がレール８；９に右方から嵌め込まれた後に左方向に移動され、コネクタ３３がコネクタ１１に接続され、画像表示ユニット３が可動枠２の後部に取り付けられる。
【００２４】
制御装置５が可動枠２に取り付けられた画像表示ユニット３に取り付けられる場合について説明すると、先ず、滑動部１５；１６がレール８；９に右方向から嵌め込まれた後に左方向に移動され、画像表示ユニット３が可動枠２の後部に取り付けられる。次に、鉤部３２が案内孔２４に後方から挿入されて左方向に移動され、鉤部２３；３２が互いに前後方向に抜けないように嵌め合わされ、コネクタ３３がコネクタ１１に接続され、制御装置５の右側部が拘束部２２に係合し、制御装置５が画像表示ユニット３の後部に取り付けられる。つまり、画像表示ユニット３が可動枠２の後部に取り付けられ、制御装置５が画像表示ユニット３の後部に取り付けられた構造であるので、制御装置５が単独でも画像表示ユニット３と一緒でも着脱できるという利点がある。
【００２５】
画像表示ユニット３が可動枠２の後部に取り付けられた後、図外のねじ釘などの固定具で画像表示ユニット３を可動枠２またはレール８またはレール９に固定してもよいが、画像表示ユニット３の後部に取り付けられた制御装置５の右側部が拘束部１９に係合し、コネクタ３３がコネクタ１１に嵌め込まれる構造であるので、図外のねじ釘などの固定具で画像表示ユニット３を可動枠２またはレール８またはレール９に固定しなくても、画像表示ユニット３の後部に取り付けられた制御装置５の右側部が拘束部２２に係合し、コネクタ３３がコネクタ１１に嵌め込まれることによって、コネクタ１１；３３どうしの保持力以上の外力が画像表示ユニット３に作用しなければ、画像表示ユニット３が可動枠２に固定されるという利点がある。
【００２６】
画像表示ユニット３の案内孔２４が右から左方向に行くにしたがって徐々に上下幅が狭くなる形状に構成されたので、鉤部３２が案内孔２４に後方から挿入された後、制御装置５が右から左方向に直線的に移動され、鉤部２３；３２が互いに前後方向に抜けないように嵌め合わされた場合、鉤部３２の縦片が案内孔２４の上縁部と下縁部とに接触し、制御装置５が上下方向に振動しないように画像表示ユニット３の後部に固定されるという利点がある。
【００２７】
左側のヒンジ３６を中心として開閉可能に構成された可動枠２に対し、画像表示ユニット３の可動枠２への取付方向を左から右方向に構成してもよいが、最良の形態のように、画像表示ユニット３の可動枠２への取付方向を右から左方向に構成すれば、複数の遊技機が横に並んで遊技機設置設備に設置された場合において、画像表示ユニット３の着脱が容易になるという利点がある。
【００２８】
図２を参照し、パチンコ遊技機の遊技機枠１について説明する。遊技機枠１は、固定枠３５の前部に可動枠２を開閉可能に備え、可動枠２の前部に図外の前扉を開閉可能に備える。固定枠３５は、遊技機設置設備に固定される外枠とも呼ばれる。遊技機設置設備は、パチンコ遊技機を設置する遊技店の島と呼ばれる設備である。可動枠２は、図外の遊技盤や複数の制御装置など遊技に必要な部品を取り付ける前枠とも呼ばれる。
【００２９】
可動枠２は、左側部に位置するヒンジ３６を中心とし、固定枠３５の前部において前方に開かれかつ後方に閉じられるように片開き可能であって、図外の遊技盤が前方から可動枠２の盤収容室６に交換可能に取り付けられる。可動枠２の後部には、タンク３７が盤収容室６の上部に配置されるように取り付けられる。タンク３７の底部には、払出機構３８が設けられる。
【００３０】
可動枠２の後部には、取付台４１が透視開口部７の左側部に配置されるように取り付けられる。取付台４１には、端子ユニット４２；４３；４４が設けられる。端子ユニット４２は、制御装置４に対応するものであって、回路基板にコネクタ１０や図外の複数のコネクタを実装した構造である。コネクタ１０や図外の複数のコネクタは、回路基板におけるプリント配線と呼ばれる箔形状の電線で互いに接続される。端子ユニット４２には、位置決め部材４６が設けられる。図４の制御装置４が可動枠２の後部に取り付けられる場合、位置決め部材４６が図４の位置決め部材７３に嵌め合わされた後、コネクタ１０が図４のコネクタ２９に嵌め合わされる。つまり、位置決め部材４６と位置決め部材７３との嵌合が、コネクタ１０とコネクタ２９との嵌合を案内する。
【００３１】
図２に戻り、端子ユニット４３は、制御装置５に対応するものであって、回路基板にコネクタ１１や複数のコネクタ４７を実装した構造である。コネクタ１１；４７は、回路基板におけるプリント配線と呼ばれる箔形状の電線で互いに接続される。端子ユニット４３には、位置決め部材４８が設けられる。図５の制御装置５が可動枠２の後部に取り付けられる場合、位置決め部材４８が図５の位置決め部材８９に嵌め合わされた後、コネクタ１１が図５のコネクタ３３に嵌め合わされる。つまり、位置決め部材４８と位置決め部材８９との嵌合が、コネクタ１１とコネクタ３３との嵌合を案内する。
【００３２】
図２に戻り、端子ユニット４４は、上下方向に延びる軸４９を中心として実線で示すように後方に開かれかつ前方に閉じられるように片開き可能であって、回路基板にコネクタ５０が取り付けられる。コネクタ５０には、遊技店の店管理を行うホールコンピュータとパチンコ遊技機との間で外部情報と呼ばれる情報をやり取りする配線が接続される。端子ユニット４４が開閉可能であるので、端子ユニット４４よりも前方に配置される端子ユニット４２における図外の複数のコネクタに図外のコネクタを接続する作業が容易に行える。
【００３３】
図３を参照し、画像表示ユニット３について説明する。画像表示器１３が表示容器１４に取り付けられるには、画像表示器１３の表示画面が前方に向けられ、画像表示器１３が表示容器１４に前方から収容されることによって、画像表示器１３の後部における駆動部５２が表示容器１４の駆動カバー部５３に収容され、駆動部５２のコネクタ５４が表示容器１４のコネクタ孔５５から後方に突出され、画像表示器１３の後部におけるコネクタ５６が表示容器１４のコネクタ孔５７に臨まされ、画像表示器１３の四隅における取付足５８が表示容器１４の取付部５９に収容される。
【００３４】
そして、ねじ釘６０が画像表示器１３の前方から取付足５８を貫通して取付部５９に締結されることによって、画像表示器１３が表示容器１４に固定される。被覆電線からなる配線６１の両端には、コネクタ６２；６３が個別に接続される。コネクタ６２は、表示容器１４の後方からコネクタ孔５７を経由してコネクタ５６に接続される。
【００３５】
制御取付部１７における鉤部２０の表示容器１４から後方への突出寸法Ｈ１は、制御取付部１８における鉤部２３の表示容器１４から後方への突出寸法Ｈ２よりも小さい（Ｈ１＜Ｈ２）。よって、図４の制御装置４および図５の制御装置５が図３の画像表示ユニット３の後部に取り付けられた場合、制御装置４が制御装置５よりも前側に配置され、制御装置５が制御装置４よりも後側に配置され、制御装置４の下部と制御装置５の上部とが前後方向に重ね合わせられるように、制御装置４と制御装置５とを互いに近づけることができるという利点がある。
【００３６】
図４を参照し、制御装置４について説明する。図４のａ図に示すように、制御容器２６には、コネクタ孔６６；６７；６８；６９、スイッチ孔７０、放熱孔７１、端子ユニット７２、位置決め部材７３が設けられる。端子ユニット７２は、制御容器２６の後壁に設けられた回路基板にコネクタ７４；７５を実装した構造である。コネクタ７４；７５は、回路基板におけるプリント配線と呼ばれる箔形状の電線で互いに接続される。
【００３７】
制御容器２６の内部には、統括制御基板７７および画像制御基板７８を備える。統括制御基板７７および画像制御基板７８は、図１の回路基板２７に相当する。統括制御基板７７および画像制御基板７８は、互いに別々の回路基板として構成され、制御容器２６の内部において図外の配線で互いに接続される。統括制御基板７７には、コネクタ２９；７９；８０、スイッチ８１、図外の電気部品などが実装される。図外の電気部品としては、ＣＰＵ、ＲＯＭ、ＲＡＭ、入力インターフェースなどである。コネクタ２９；７９；８０、スイッチ８１、図外の電気部品は、統括制御基板７７のプリント配線と呼ばれる箔形状の電線で互いに接続される。コネクタ２９は、コネクタ孔６６に臨まされる。コネクタ７９は、コネクタ孔６７から後方に突出する。コネクタ８０は、コネクタ孔６８から後方に突出する。スイッチ８１は、ボリュームスイッチであって、スイッチ孔７０から後方に突出する。
【００３８】
画像制御基板７８は、統括制御基板７７からの出力によって画像表示を制御する処理を実行し、その結果によって画像表示器１３（図１参照）を制御する。画像制御基板７８には、コネクタ８２や図外の電気部品などが実装される。図外の電気部品としては、ＣＰＵ、ＲＯＭ、ＲＡＭ、入力インターフェースなどである。コネクタ８２や図外の電気部品は、画像制御基板７８のプリント配線と呼ばれる箔形状の電線で互いに接続される。コネクタ８２は、コネクタ孔６９から後方に突出する。コネクタ８２には、コネクタ６３（図３参照）が接続される。
【００３９】
図４のｂ図に示すように、制御容器２６には、鉤部２８および残渣孔８３が設けられる。残渣孔８３は、鉤部２８を形成するための成形型が制御容器２６から抜かれた加工跡である。制御容器２６と別に形成された鉤部２８が制御容器２６に設けられることによって、残渣孔８３が制御容器２６から除かれる。
【００４０】
図５を参照し、制御装置５について説明する。図５のａ図に示すように、制御容器３０には、コネクタ孔８５；８６；８７；８８、位置決め部材８９が設けられる。制御容器３０の内部には、主制御基板９０を備える。主制御基板９０は、図１の回路基板３１に相当する。主制御基板９０には、コネクタ３３；９１；９２；９３；９４、図外の電気部品などが実装される。図外の電気部品としては、ＣＰＵ、ＲＯＭ、ＲＡＭ、入力インターフェースなどである。コネクタ３３；９１；９２；９３；９４、図外の電気部品は、主制御基板９０のプリント配線と呼ばれる箔形状の電線で互いに接続される。コネクタ３３は、コネクタ孔８５に臨まされる。コネクタ９１は、コネクタ孔８６から後方に突出する。コネクタ９２；９３は、コネクタ孔８７から後方に突出する。コネクタ９４は、コネクタ孔８８に臨まされる。
【００４１】
図５のｂ図に示すように、制御容器３０には、鉤部３２および残渣孔９５が設けられる。残渣孔９５は、鉤部３２を形成するための成形型が制御容器３０から抜かれた加工跡である。制御容器３０と別に形成された鉤部３２が制御容器３０に設けられれば、残渣孔９５は制御容器３０から除かれる。
【００４２】
図３および図６を参照し、制御装置４が画像表示ユニット３に着脱される場合を例として説明する。先ず、図３において、制御装置４が画像表示ユニット３に取り付けられるよりも前の時期において、コネクタ５６に接続された配線６１の一部およびコネクタ６３が画像表示ユニット３の後部において画像表示ユニット３よりも上方に配置される。
【００４３】
次に、図６のａ図に示すように、画像表示ユニット３の案内孔２１と制御装置４の鉤部２８とが互いに向かい合わせられる。そして、制御装置４が人によって矢印Ｘ１で示すように画像表示ユニット３の後方から画像表示ユニット３の方に移動する。
【００４４】
これによって、図６のｂ図に示すように、鉤部２８の横片が案内孔２１を経由して画像表示器１３と表示容器１４との間の隙間に挿入され、拘束部１９が制御容器２６で前方に押されて弾性変形する。そして、制御装置４が人によって矢印Ｘ２で示すように右から左方向に直線的に移動される。
【００４５】
これによって、図６のｃ図に示すように、鉤部２８が鉤部２０と前後方向に抜けないよう嵌め合わされ、制御容器２６が拘束部１９を左方に越えるのに伴い、拘束部１９が後方に弾性で復元して制御容器２６の右側部に係合する。
【００４６】
このように拘束部１９が制御容器２６の右側部に係合した状態において、制御装置４が矢印Ｘ３で示すように左から右方向に移動されるような力が制御装置４に作用したとしても、拘束部１９が制御装置４の右側部に突き当たり、係る制御装置４の左から右方向への移動が阻止され、制御装置４が画像表示ユニット３から脱落するようなことはない。その後、図３のコネクタ６３が図４のａ図のコネクタ８２に接続される（図７参照）。
【００４７】
図６のｃ図において、制御装置４が画像表示ユニット３から取り外される場合、拘束部１９が人によって前方に押されて弾性変形されたまま、制御装置４が人によって矢印Ｘ３で示すように左から右方向に移動され、鉤部２０；２８の嵌合が外れ、鉤部２８の横片が案内孔２１と対向した後、制御装置４が人によって後方に移動されることによって、鉤部２８が案内孔２１から抜け、制御装置４が画像表示ユニット３から取り外される。
【００４８】
制御装置５が画像表示ユニット３に着脱される場合については、図６の制御装置４、拘束部１９、鉤部２０、案内孔２１、鉤部２８を、図１の制御装置５、鉤部２３、案内孔２４、鉤部３２と読み替えることによって、容易に理解できるであろう。
【００４９】
図７を参照し、画像表示ユニット３と制御装置４；５との配線について説明する。被覆電線からなる配線９６が制御装置５のコネクタ９１と制御装置４のコネクタ７４とに接続される。被覆電線からなる配線９７が制御装置４のコネクタ７５とコネクタ７９とに接続される。被覆電線からなる配線９８が画像表示ユニット３のコネクタ５４と制御装置４のコネクタ８０とに接続される。これらの場合、配線９６乃至９８の両端には図外のコネクタが個別に接続されているので、図外のコネクタがコネクタ５４；７４；７５；７９；８０；９１に個別に接続される。配線６１のコネクタ６３が制御装置４のコネクタ８２に接続される。
【００５０】
コネクタ９２には、図外の始動入賞球検出器の配線が接続される。始動入賞球検出器は、図１の盤収容室６に収容された図外の遊技盤に設けられた始動入賞口に入賞した球を検出して始動入賞信号を出力する。コネクタ９３には、可変入賞球検出器の配線が接続される。可変入賞球検出器は、上記遊技盤に設けられた可変入賞口に入賞した球を検出して可変入賞信号を出力する。コネクタ９４には、販売の認可を与えるための検査機関が検査を行うときに検査用のコネクタが接続される。
【産業上の利用可能性】
【００５１】
図１において、画像表示ユニット３がレール８；９に嵌め込まれて右から左方向に移動されて可動枠２の後部に取り付けられた後、画像表示ユニット３が左から右方向に移動しないように、図外のねじ釘などの固定具で画像表示ユニット３を可動枠２またはレール８またはレール９に固定されることは必要であるものの、コネクタ１０；１１またはコネクタ１０またはコネクタ１１が可動枠２から外されかつ図外の配線に接続された状態でコネクタ２９；３３またはコネクタ２９またはコネクタ３３に嵌め込まれる形態でもよい。制御装置４；５は、いずれか１つでもよい。
【００５２】
図１の画像表示ユニット３の後部に取り付けられる制御装置は、図４の統括制御基板７７と画像制御基板７８と図５の主制御基板９０とが１つの制御容器に格納された構造でもよい。統括制御基板７７と画像制御基板７８と主制御基板９０が１つの回路基板で構成されてもよい。
【００５３】
図８は、発明を実施するための異なる形態に係るレール８；９を示す。図８のａ図は、レール８；９が可動枠２における盤収容室６の後壁に設けられることによって、レール８；９と盤収容室６の後壁との間に画像表示ユニット３における滑動部１５；１６を摺接係合する溝を構成した場合である。
【００５４】
図８のｂ図は、レール８の滑動部１５を摺接係合する溝が側面視山形（図８の紙面の表から見た形態）に構成され、レール９の滑動部１６を摺接係合する溝が側面視谷形（ｂ図の紙面の表から見た形態）に構成された場合である。図８のｂ図において、レール８は、図１の構成でもよい。
【００５５】
図８のｃ図は、滑動部１５がローラ９９と軸１００とで構成され、滑動部１６がローラ１０１と軸１０２とで構成された場合である。図８のｃ図において、滑動部１５；１６の一方は図１の構成でもよいが、滑動部１５が図１の構成であれば、ローラ１０１の回転によって、画像表示ユニット３が円滑に左右方向に移動できる。
【００５６】
図８のｄ図は、滑動部１５がローラ９９と軸１００とで構成され、レール８がローラ９９を下から支える下支持部１０３と画像表示ユニット３を後方に行かないよう支える後支持部１０４とを備え、レール９は、画像表示ユニット３を後方に行かないよう支える構成である。
【００５７】
図８のｅ図は、レール８が突条１０５を備え、滑動部１５が突条１０５に嵌め込まれて吊り下げられる溝として構成され、レール９は、画像表示ユニット３を後方に行かないよう支える構成である。図８のｄ図およびｅ図は、画像表示ユニット３をレール８で吊り下げる構成である。
【００５８】
図８のａ図乃至ｅ図において、レール９は、図１の構成でもよい。
【図面の簡単な説明】
【００５９】
【図１】パチンコ遊技機の画像表示装置の分解斜視図（最良の形態）。
【図２】遊技機枠の斜視図（最良の形態）。
【図３】画像表示ユニットの分解斜視図（最良の形態）。
【図４】１つの制御装置の斜視図（最良の形態）。
【図５】別の制御装置の斜視図（最良の形態）。
【図６】制御装置の画像表示ユニットへの着脱工程図（最良の形態）。
【図７】画像表示ユニットと制御装置との配線図（最良の形態）。
【図８】レールの側面図（異なる形態）。
【図９】パチンコ遊技機の画像表示装置の平面図（従来）。
【符号の説明】
【００６０】
１は遊技機枠、２は可動枠、３は画像表示ユニット、４；５は制御装置、６は盤収容室、７は透視開口部、８；９はレール、１０；１１はコネクタ、１２は欠番、１３は画像表示器、１４は表示容器、１５；１６は滑動部、１７；１８は制御取付部、１９は拘束部、２０は鉤部、２１は案内孔、２２は拘束部、２３は鉤部、２４は案内孔、２５は欠番、２６は制御容器、２７は回路基板、２８は鉤部、２９はコネクタ、３０は制御容器、３１は回路基板、３２は鉤部、３３はコネクタ、３４は欠番、３５は固定枠、３６はヒンジ、３７はタンク、３８は払出機構、３９；４０は欠番、４１は取付台、４２乃至４４は端子ユニット、４５は欠番、４６は位置決め部材、４７はコネクタ、４８は位置決め部材、４９は軸、５０はコネクタ、５１は欠番、５２は駆動部、５３は駆動カバー部、５４はコネクタ、５５はコネクタ孔、５６はコネクタ、５７はコネクタ孔、５８は取付足、５９は取付部、６０はねじ釘、６１は配線、６２；６３はコネクタ、６４；６５は欠番、６６乃至６９はコネクタ孔、７０はスイッチ孔、７１は放熱孔、７２は端子ユニット、７３は位置決め部材、７４；７５はコネクタ、７６は欠番、７７は統括制御基板、７８は画像制御基板、７９はコネクタ、８０はコネクタ、８１はスイッチ、８２はコネクタ、８３は残渣孔、８４は欠番、８５乃至８８はコネクタ孔、８９は位置決め部材、９０は主制御基板、９１乃至９４はコネクタ、９５は残渣孔、９６乃至９８は配線、９９はローラ、１００は軸、１０１はローラ、１０２は軸、１０３は下支持部、１０４は後支持部、１０５は突条、１０６乃至１１０は欠番、１１１は遊技機枠、１１２は固定枠、１１３は可動枠、１１４画像表示収容部、１１５は払出ユニット、１１６は制御装置、１１７は画像表示器、Ｈ１；Ｈ２は突出寸法。
【図１】
2009060955.tif 000003
【図２】
2009060955.tif 000004
【図３】
2009060955.tif 000005
【図４】
2009060955.tif 000006
【図５】
2009060955.tif 000007
【図６】
2009060955.tif 000008
【図７】
2009060955.tif 000009
【図８】
2009060955.tif 000010
【図９】
2009060955.tif 000011